(57)【要約】【課題】簡素な構成で、かつ、ユーザに効果的に冷風感を与えられるようにする。【解決手段】シートに着座したユーザの首周辺へ向けて空気を吹き出す吹出口１０１が形成された筐体１０と、筐体１０の内部に配置され筐体１０の内部の空気を冷却または加熱するためのペルチェ素子２０と、筐体１０の内部に空気流を発生させる空気流発生部３０、４０、５０、６０と、を備えている。そして、ペルチェ素子２０によって冷却または加熱された空気が空気流発生部３０、４０、５０、６０により吹出口１０１から渦輪となってユーザの首周辺に向けて吹き出す。【選択図】図２
2020083245.tif 000002
【特許請求の範囲】
【請求項１】
ユーザが着座するシート（２）に配置されるシート空調装置であって、
前記シートに着座したユーザの首周辺へ向けて空気を吹き出す吹出口（１０１）が形成された筐体（１０）と、
前記筐体の内部に配置され前記筐体の内部の空気を冷却または加熱するためのペルチェ素子（２０）と、
前記筐体の内部に前記空気流を発生させる空気流発生部（３０、４０、５０、６０）と、を備え、
前記ペルチェ素子によって冷却または加熱された空気が前記空気流発生部により渦輪となって前記吹出口から前記ユーザの首周辺に向けて吹き出すシート空調装置。
【請求項２】
前記空気流発生部は、
板状を成す振動板（３０）と、
前記振動板の少なくとも一部を該振動板の法線方向（ＤＲ）の一方に変位させる駆動部（４０）と、を備え、
前記駆動部は、前記振動板の少なくとも一部が該振動板の法線方向の一方に変位した際に、前記振動板を該振動板の法線方向の一方と反対の他方に付勢するバネ（４２）を有し、
前記バネのスプリング力により前記筐体の内部の空気の圧力を急激に変動させて前記吹出口から渦輪状の前記空気が吹き出すよう前記駆動部を制御する制御部（８０）と、を備えた請求項１に記載のシート空調装置。
【請求項３】
前記ペルチェ素子は、吸熱する吸熱面と該吸熱面からの熱の移動により発熱する発熱面のいずれか一方である第１面（２０１）と、前記吸熱面と前記発熱面のいずれか他方である第２面（２０２）を有し、
前記ペルチェ素子の前記第１面で冷却または加熱された前記空気が前記空気流発生部により前記吹出口から前記ユーザの首周辺に向けて吹き出すようになっており、
前記振動板の法線方向の一方と反対の他方の面に前記第１面（２０１）が配置され、前記振動板の法線方向の一方の面に前記第２面（２０２）が配置されている請求項２に記載のシート空調装置。
【請求項４】
前記ペルチェ素子は、吸熱する吸熱面と該吸熱面からの熱の移動により発熱する発熱面のいずれか一方である第１面（２０１）と、前記吸熱面と前記発熱面のいずれか他方である第２面（２０２）を有し、
前記ペルチェ素子の前記第１面で冷却または加熱された前記空気が前記空気流発生部により前記吹出口から前記ユーザの首周辺に向けて吹き出すようになっており、
前記ペルチェ素子の前記第１面には、前記筐体の内部に配置されたヒートシンク（７１）が接合されている請求項１に記載のシート空調装置。
【請求項５】
前記ヒートシンクは、第１ヒートシンクであり、
前記ペルチェ素子の前記第２面には第２ヒートシンク（７２）が接合されており、
前記第２ヒートシンクは、前記筐体に接合されている請求項４に記載のシート空調装置。
【請求項６】
前記第２ヒートシンクは、前記筐体の外部に露出している請求項４に記載のシート空調装置。
【請求項７】
前記ユーザの操作に応じた信号を出力する操作部（９０）を備え、
前記ペルチェ素子は、異種金属の接合部に流れる電流の向きが切り替えられると前記吸熱面と前記発熱面とが切り替わるようになっており、
前記操作部に対する前記ユーザの操作に応じて前記ペルチェ素子の前記接合部に流れる電流の向きを切り替える制御部（８０）を備えた請求項１に記載のシート空調装置。
【発明の詳細な説明】
【技術分野】
【０００１】
本発明は、シート空調装置に関するものである。
【背景技術】
【０００２】
従来、特許文献１に記載されたシート空調装置がある。この装置は、車両の内気導入口または外気導入口から吸い込んだ空気流を温度調整する室内空調ユニットと、室内空調ユニットにて温度調整された空気流を吹出開口部から吹き出す第１送風機と、を備えている。さらに、室内空調ユニットにて温度調整された空気流を、ダクトを介して吸い込んでシートの複数の微細孔から乗員に吹き出させる第２送風機を備えている。
【先行技術文献】
【特許文献】
【０００３】
【特許文献１】特開２０１８−７９７３９号公報
【発明の概要】
【発明が解決しようとする課題】
【０００４】
上記特許文献１に記載された装置は、室内空調ユニットと第２送風機との間を接続するダクトが必要であるため、搭載スペースが大きく構造も複雑である。また、室内空調ユニットと第２送風機との間を接続するダクトが長いため、例えば、冷房運転する際には、ダクト途中で空気流の温度が上昇してしまい空調性能が劣るといった問題もある。
【０００５】
本発明は上記問題に鑑みたもので、簡素な構成で、かつ、ユーザに効果的に冷風感を与えられるようにすることを目的とする。
【課題を解決するための手段】
【０００６】
上記目的を達成するため、請求項１に記載の発明は、ユーザが着座するシート（２）に配置されるシート空調装置であって、シートに着座したユーザの首周辺へ向けて空気を吹き出す吹出口（１０１）が形成された筐体（１０）と、筐体の内部に配置され筐体の内部の空気を冷却または加熱するためのペルチェ素子（２０）と、筐体の内部に空気流を発生させる空気流発生部（３０、４０、５０、６０）と、を備えている。そして、ペルチェ素子によって冷却または加熱された空気が空気流発生部により吹出口から渦輪となってユーザの首周辺に向けて吹き出す。
【０００７】
このような構成よれば、体の内部に配置され筐体の内部の空気を冷却または加熱するためのペルチェ素子によって冷却または加熱された空気が空気流発生部により吹出口から渦輪となってユーザの首周辺に向けて吹き出すので、簡素な構成で、かつ、ユーザに効果的に冷風感を与えられるようにすることができる。
【０００８】
なお、この欄および特許請求の範囲で記載した各手段の括弧内の符号は、後述する実施形態に記載の具体的手段との対応関係を示すものである。
【図面の簡単な説明】
【０００９】
【図１】第１実施形態のシート空調装置の配置を示した図である。
【図２】第１実施形態のシート空調装置の概略断面図である。
【図３】第１実施形態のシート空調装置のブロック図である。
【図４】渦輪の発生について説明するための図である。
【図５】渦輪について説明するための図である。
【図６】第２実施形態のシート空調装置の概略断面図である。
【図７】第３実施形態のシート空調装置の概略断面図である。
【発明を実施するための形態】
【００１０】
以下、本発明の実施形態について図に基づいて説明する。なお、以下の各実施形態相互において、互いに同一もしくは均等である部分には、図中、同一符号を付してある。
【００１１】
（第１実施形態）
第１実施形態に係るシート空調装置について図１〜図５を用いて説明する。本実施形態のシート空調装置１は、車両のシート２に配置されている。
【００１２】
車両のシート２は、シートクッション２１、シートバック２２およびヘッドレスト２３を有している。シート空調装置１は、ヘッドレスト２３の左右方向中央で、かつ、ヘッドレスト２３の上下方向の下半分の領域に埋設されている。
【００１３】
ヘッドレスト２３には、筒状の空洞部２３０が形成されている。本実施形態のシート空調装置１は、ヘッドレスト２３に形成された空洞部２３０から冷却された空気砲Ｆがユーザの首周辺に向けて吹き出すよう構成されている。
【００１４】
シート空調装置１は、図２に示すように、筐体１０、吸音材１１、ペルチェ素子２０、振動板３０、ダンパー３１、ソレノイドアクチュエータ４０および制御部８０を備えている。なお、振動板３０およびソレノイドアクチュエータ４０は、本実施形態の空気流発生部に相当する。
【００１５】
筐体１０は、ペルチェ素子２０、振動板３０、ダンパー３１、ソレノイドアクチュエータ４０等を収納するものである。筐体１０は、樹脂、金属等によって形成されており、略円筒形状を成している。
【００１６】
筐体１０の軸方向Ｊの一方側の面には、筐体１０の内部の熱を排熱するための廃熱穴１０２が形成されている。また、筐体１０の軸方向Ｊの他方側の面には、筐体１０の内部から空気流を吹き出すための吹出口１０１が形成されている。
【００１７】
筐体１０の内部には、複数の吸音材１１が配置されている。吸音材１１は、ソレノイドアクチュエータ４０の作動音や振動板３０が振動する際の音を吸収する部材である。吸音材１１は、例えば、発砲ウレタン等を用いて構成することができる。
【００１８】
振動板３０は、円盤状を成している。振動板３０の一面にはペルチェ素子２０が配置されている。また、振動板３０の他面は、後述するソレノイドアクチュエータ４０のプランジャ４１の先端に連結されている。
【００１９】
振動板３０の周縁部には、ダンパー３１が配置されている。振動板３０は、ダンパー３１を介して筐体１０の内壁に接続されている。ダンパー３１は、例えば、ウレタン等の樹脂を用いて構成することができる。ダンパー３１は、振動板３０が過度に移動することを抑制している。また、ダンパー３１には、シート空調装置１の動作音を抑制する効果もある。
【００２０】
筐体１０の内部空間は、振動板３０およびダンパー３１によって２つの空間に仕切られている。２つの空間は、振動板３０およびダンパー３１によって気密が確保されている。振動板３０の法線方向ＤＲの一方と反対の他方の面には、ペルチェ素子２０が固定されている。
【００２１】
ペルチェ素子２０は、２種類の金属の接合部に直流電流を流すと、一方の金属から他方の金属へ熱が移動するという効果を利用した板状の半導体冷熱素子である。
【００２２】
ペルチェ素子２０は、２種類の金属の接合部に流れる電流に応じて吸熱する吸熱面と、該吸熱面からの熱の移動により発熱する発熱面とを有している。なお、２種類の金属の接合部に流れる電流の向きを変えると発熱面が吸熱面となり、吸熱面が発熱面となる。
【００２３】
本実施形態では、ペルチェ素子２０の２種類の金属の接合部に所定の直流電流を流したときに、吸熱する吸熱面を第１面２０１とし、発熱する発熱面を第２面２０２とする。
【００２４】
そして、ペルチェ素子２０の第１面２０１が振動板３０の法線方向ＤＲの一方と反対の他方の面に配置され、ペルチェ素子２０の第２面２０２が振動板３０の法線方向ＤＲの一方の面に配置される。
【００２５】
なお、ペルチェ素子２０の２種類の金属の接合部に所定の直流電流と逆極性の直流電流を流した際には、第１面２０１は発熱面として機能し、第２面２０２は吸熱面として機能する。
【００２６】
ソレノイドアクチュエータ４０は、プランジャ４１、バネ４２、コイル４３およびソレノイドケース４４を有している。
【００２７】
プランジャ４１は、筒状を成している。プランジャ４１の外周には、コイル４３が配置されている。プランジャ４１は、コイル４３への通電時に電磁力によって振動板３０の法線方向ＤＲの一方側に吸引される。
【００２８】
ソレノイドケース４４は、コイル４３およびプランジャ４１を収納するものである。ソレノイドケース４４は、例えば、樹脂によって構成される。ソレノイドケース４４は、筒状を成している。
【００２９】
ソレノイドケース４４の軸方向Ｊの振動板３０側の端部には、プランジャ４１を挿通させるための開口穴４４１が形成されている。プランジャ４１の一部は、ソレノイドケース４４に形成された開口穴４４１を通ってソレノイドケース４４の外部に露出している。
【００３０】
プランジャ４１の軸方向Ｊの一方と反対の他方側にはバネ４２が配置されている。バネ４２は、プランジャ４１の外周を取り巻くように配置されている。また、バネ４２は、ソレノイドケース４４の開口穴４４１が形成された面と振動板３０との間に配置されている。
【００３１】
筐体１０の外周面には、制御部８０を収納するための空間１１１が形成されている。制御部８０は、この空間１１１の内部に配置されている。
【００３２】
図３に示すように、制御部８０には、ユーザによって操作される操作部９０と、ペルチェ素子２０と、コイル４３と、が接続されている。なお、本シート空調装置１には、車両バッテリから電力が供給される。
【００３３】
操作部９０は、作動または停止を指示するオンオフスイッチと、ユーザの首周辺に向けて冷風を吹き出す冷風モードとユーザの首周辺に向けて温風を吹き出す温風モードを切り替えるモードスイッチを有している。操作部９０は、ユーザのスイッチ操作に応じた信号を制御部８０に出力する。
【００３４】
次に、本シート空調装置１の作動について説明する。ここでは、操作部９０のモードスイッチが冷風モードに設定されているものとする。
【００３５】
まず、操作部９０のオンオフスイッチに対するユーザの操作により操作部９０から制御部８０にシート空調装置１の作動が指示されると、制御部８０は、ペルチェ素子２０の２種類の金属の接合部に所定の電流が流れるように制御する。これにより、振動板３０の法線方向ＤＲの一方と反対の他面に配置された第１面２０１が冷却され、振動板３０の法線方向ＤＲの一方の面に配置された第２面２０２が第１面２０１からの熱の移動により発熱する。この際、ペルチェ素子２０の第１面２０１の周囲の空気が冷却される。なお、ペルチェ素子２０の第１面２０１からペルチェ素子２０の第２面２０２に移動した熱は、振動板３０に伝わり筐体１０の内部空間の内、ソレノイドアクチュエータ４０が配置されている側の空間の空気と熱交換して放熱される。
【００３６】
次に、制御部８０は、コイル４３に電流が流れるように制御する。これにより、プランジャ４１はバネ４２のスプリング力に打ち勝つ吸引力を得て振動板３０の法線方向ＤＲの一方側に変位する。そして、プランジャ４１の先端に連結された振動板３０の中央部が該振動板３０の法線方向ＤＲの一方側に変位して振動板３０が変形する。
【００３７】
次に、制御部８０は、コイル４３に流れる電流を遮断する。これにより、バネ４２のスプリング力でプランジャ４１が振動板３０の法線方向ＤＲの一方と反対の他方側に勢いよく戻り、振動板３０の形状が元に戻る。
【００３８】
この際、ペルチェ素子２０の第１面２０１で冷却された空気の圧力が急激に変動し、筐体１０に形成された吹出口１０１から冷却された空気流が勢いよく吹き出す。また、ペルチェ素子２０の第２面２０２で加熱された空気は、筐体１０に形成された廃熱穴１０２から筐体１０の外部に排出される。
【００３９】
上記した処理を断続的に繰り返し実施することにより、冷却された渦輪状の空気がユーザの首周辺に向けて繰り返し吹き出す。この渦輪状の空気が所謂空気砲Ｆである。
【００４０】
また、操作部９０のモードスイッチが温風モードに設定されると、制御部８０は、ペルチェ素子２０の２種類の金属の接合部に逆極性の所定の電流が流れるように制御する。
【００４１】
制御部８０は、冷風モードの場合と同様に、コイル４３への電流供給と、電流の供給遮断を繰り返す。これにより、暖められた渦輪状の空気がユーザの首周辺に向けて繰り返し吹き出す。
【００４２】
次に、渦輪の生成について説明する。
【００４３】
筐体１０の内部で急激な空気圧の変動があると、図４に示すように、筐体１０に形成された吹出口１０１から空気が勢いよく吹き出される。このように、吹出口１０１から吹き出す空気の流れを噴流という。
【００４４】
このとき、吹出口１０１から円筒状に吹き出る空気はコアと呼ばれる。コアは周囲の静止した空気との間の粘性摩擦により急速に減速し、短距離で弱まる。
【００４５】
また、コアが吹出口１０１から吹き出る際に、コアの高速の流れと周りの静止した空気との間で粘性摩擦がはたらいて周りの空気を回転させようとする力がはたらき渦輪が発生する。
【００４６】
吹出口１０１から空気の瞬間的な吹き出しが終わった直後には、移動するコアの後ろを埋めるため周囲の空気が流れ込み、渦輪の生成をさらに助けるはたらきをする。
【００４７】
このように生成された渦輪はコアの速さの半分くらいの速さで移動する。そして、コアが減速した後でも渦輪は回転のはたらきで自分自身で進むことができ、比較的遠方まで移動する。 
なお、図５に示すように、渦輪の中心線上では渦の回転によって圧力が低くなる。そして、このような回転を維持しながら渦輪は遠方まで移動する。
【００４８】
そして、冷却された渦輪は、冷たい空気の塊としてユーザの首周辺に到達する。また、暖められた渦輪は、暖かい空気の塊としてユーザの首周辺に到達する。
【００４９】
首には頸動脈や頸静脈がある。したがって、本実施形態のシート空調装置１のように冷房能力が大きくなくても、首に冷風を当てることでユーザに効果的に冷風感を与えることが可能である。また、本実施形態のようにシート空調装置１の暖房能力が大きくなくても、首に温風を当てることでユーザに効果的に暖風感を与えることが可能である。
【００５０】
以上、説明したように、本シート空調装置１は、ユーザが着座するシート２に配置される。また、本シート空調装置１は、シート２に着座したユーザの首周辺へ向けて空気を吹き出す吹出口１０１が形成された筐体１０と、筐体１０の内部に配置され筐体の内部の空気を冷却または加熱するためのペルチェ素子２０と、を備えている。また、筐体１０の内部に空気流を発生させる空気流発生部３０、４０を備えている。そして、ペルチェ素子２０によって冷却または加熱された空気が空気流発生部４０により吹出口１０１から渦輪となってユーザの首周辺に向けて吹き出す。
【００５１】
このような構成よれば、筐体１０の内部に配置され筐体１０の内部の空気を冷却または加熱するためのペルチェ素子２０によって冷却または加熱された空気が空気流発生部４０により吹出口１０１から渦輪となってユーザの首周辺に向けて吹き出すので、簡素な構成で、かつ、ユーザに効果的に冷風感を与えられるようにすることができる。
【００５２】
なお、上記特許文献１に記載されたシート空調装置は、空気が室内空調ユニットにより温度調整されるのに時間がかかる。しかし、本シート空調装置１は、筐体１０の内部に配置され筐体１０の内部の空気を冷却または加熱するためのペルチェ素子２０によって冷却または加熱された空気が空気流発生部４０により吹出口１０１から渦輪となってユーザの首周辺に向けて吹き出すので、作動開始後、速やかにユーザの首に冷風または温風を当てることが可能である。
【００５３】
また、空気流発生部は、板状を成す振動板３０と、振動板３０の少なくとも一部を該振動板３０の法線方向ＤＲの一方に変位させるソレノイドアクチュエータ４０と、を備え、ソレノイドアクチュエータ４０は、振動板３０の少なくとも一部が該振動板３０の法線方向の一方に変位した際に、振動板３０を該振動板３０の法線方向の一方と反対の他方に付勢するバネ４２を有している。さらに、バネ４２のスプリング力により筐体１０の内部の空気の圧力を急激に変動させて吹出口１０１から渦輪状の空気が吹き出すようソレノイドアクチュエータ４０を制御する制御部８０を備えている。
【００５４】
このように、バネ４２のスプリング力により筐体１０の内部の空気の圧力を急激に変動させて吹出口１０１から渦輪状の空気が吹き出すよう制御部８０によりソレノイドアクチュエータ４０が制御されるので、渦輪状の空気を遠方まで吹き出させることが可能である。
【００５５】
また、ペルチェ素子２０は、吸熱する吸熱面と該吸熱面からの熱の移動により発熱する発熱面のいずれか一方である第１面２０１と、吸熱面と発熱面のいずれか他方である第２面２０２を有している。また、ペルチェ素子２０の第１面１０１で冷却または加熱された空気が空気流発生部３０、４０により吹出口１０１からユーザの首周辺に向けて吹き出すようになっている。そして、振動板３０の法線方向の一方と反対の他方の面に第１面２０１が配置され、振動板３０の法線方向の一方の面に第２面２０２が配置されている。
【００５６】
したがって、振動板３０の法線方向の一方と反対の他方の面に配置された第１面２０１で冷却または加熱された空気を吹出口１０１から吹き出すことができる。また、振動板３０の法線方向の一方の面に配置された第２面２０２で廃熱または吸熱することが可能である。
【００５７】
また、本シート空調装置１は、ユーザの操作に応じた信号を出力する操作部９０を備えている。また、ペルチェ素子２０は、異種金属の接合部に流れる電流の向きが切り替えられると吸熱面と発熱面とが切り替わるようになっている。そして、制御部８０は、操作部９０に対するユーザの操作に応じてペルチェ素子２０の接合部に流れる電流の向きを切り替える。
【００５８】
したがって、ユーザの操作部９０に対する操作に応じて吹出口１０１から吹き出す空気を、冷却された空気と加熱された空気とで切り替えることが可能である。
【００５９】
（第２実施形態）
第２実施形態に係るシート空調装置について図６を用いて説明する。上記第１実施形態では、ペルチェ素子２０によって冷却または暖められた渦輪を振動板３０とソレノイドアクチュエータ４０によって送出するよう構成した。これに対し、本実施形態のシート空調装置１は、ペルチェ素子２０によって冷却または暖められた渦輪をスピーカ５０によって送出する。
【００６０】
スピーカ５０は、振動して音を発生させる振動板５１、振動板５１を筐体１０の内面に固定する固定ステー５２、振動板５１を振動させるためのボイスコイル５５、ボイスコイル５５を支持するダンパー５３および磁気回路を形成する磁石５４を有している。ボイスコイル５５は、磁石５４によって形成される磁気回路に配置されている。なお、スピーカ５０は、本実施形態の空気流発生部に相当する。
【００６１】
また、筐体１０の内部空間は、振動板５１および固定ステー５２によって２つの空間に仕切られている。２つの空間は、振動板５１および固定ステー５２によって気密が確保されている。
【００６２】
本実施形態の制御部８０には、ユーザによって操作される操作部９０と、ペルチェ素子２０と、ボイスコイル５５と、が接続されている。
【００６３】
また、本実施形態のシート空調装置１は、第１ヒートシンク７１および第２ヒートシンク７２を有している。第１ヒートシンク７１は、筐体１０の内部に配置され、第２ヒートシンク７２は、筐体１０に接合されるとともに、筐体１０の外部に露出している。
【００６４】
また、第１ヒートシンク７１と第２ヒートシンク７２との間にペルチェ素子２０が配置されている。ペルチェ素子２０の第１面２０１は、第１ヒートシンク７１と接合しており、ペルチェ素子２０の第２面２０２は、第２ヒートシンク７２と接合している。
【００６５】
次に、本シート空調装置１の作動について説明する。ここでは、操作部９０のモードスイッチが冷風モードに設定されているものとする。
【００６６】
まず、操作部９０のオンオフスイッチに対するユーザの操作により操作部９０から制御部８０にシート空調装置１の作動が指示されると、制御部８０は、ペルチェ素子２０の２種類の金属の接合部に所定の電流が流れるように制御する。これにより、ペルチェ素子２０の第１面２０１が冷却され、ペルチェ素子２０の第２面２０２が第１面２０１からの熱の移動により発熱する。そして、ペルチェ素子２０の第１面２０１の周囲の空気が冷却される。なお、ペルチェ素子２０の第１面２０１からペルチェ素子２０の第２面２０２に移動した熱は、第２ヒートシンク７２に伝わり筐体１０の外部の空気と熱交換して放熱される。
【００６７】
次に、制御部８０は、ボイスコイル５５に所定周波数の交流電圧を印加する。これにより、ボイスコイル５５の周囲の磁力と反応して振動が発生し、ボイスコイル５５から振動板５１に振動が伝わり、筐体１０の内部の空気に急激な圧力変動が発生する。
【００６８】
ペルチェ素子２０により冷却された空気は、この急激な圧力変動によって筐体１０の吹出口１０１から吹き出される。なお、スピーカ５０から非可聴音が出力されるためスピーカ５０から出力される音はユーザには聞こえないようになっている。
【００６９】
次に、制御部８０は、ボイスコイル５５に印加していた所定周波数の交流電圧を遮断する。これにより、筐体１０の内部の空気の圧力変動は抑制される。
【００７０】
上記した処理を断続的に繰り返し実施することにより、冷却された渦輪状の空気がユーザの首周辺に向けて繰り返し吹き出す。
【００７１】
また、操作部９０のモードスイッチが温風モードに設定されると、制御部８０は、ペルチェ素子２０の２種類の金属の接合部に逆極性の所定の電流が流れるように制御する。
【００７２】
制御部８０は、冷風モードの場合と同様に、ボイスコイル５５への電流供給と、電流の供給遮断を繰り返す。これにより、暖められた渦輪状の空気がユーザの首周辺に向けて繰り返し吹き出す。
【００７３】
本実施形態では、上記第１実施形態と共通の構成から奏される同様の効果を上記第１実施形態と同様に得ることができる。
【００７４】
（第３実施形態）
第３実施形態に係るシート空調装置について図７を用いて説明する。上記第２実施形態では、ペルチェ素子２０によって冷却または暖められた渦輪を振動板３０とソレノイドアクチュエータ４０によって送出するよう構成した。これに対し、本実施形態のシート空調装置１は、ペルチェ素子２０によって冷却または暖められた空気が送風ファン６０によって吹出口１０１から渦輪となって送出する。
【００７５】
筐体１０には、空気を吹き出す吹出口１０１と、筐体１０の内部に空気を吸い込むための吸込口１０３と、が形成されている。
【００７６】
送風ファン６０は、ファン６２を回転駆動するモータ６１と、モータ６１によって回転駆動するファン６２を備えている。なお、送風ファン６０は、本実施形態の空気流発生部に相当する。
【００７７】
本実施形態の制御部８０には、ユーザによって操作される操作部９０と、ペルチェ素子２０と、モータ６１と、が接続されている。
【００７８】
次に、本シート空調装置１の作動について説明する。ここでは、操作部９０のモードスイッチが冷風モードに設定されているものとする。
【００７９】
まず、操作部９０のオンオフスイッチに対するユーザの操作により操作部９０から制御部８０にシート空調装置１の作動が指示されると、制御部８０は、ペルチェ素子２０の２種類の金属の接合部に所定の電流が流れるように制御する。これにより、ペルチェ素子２０の第１面２０１が冷却され、ペルチェ素子２０の第２面２０２が第１面２０１からの熱の移動により発熱する。そして、ペルチェ素子２０の第１面２０１の周囲の空気が冷却される。なお、ペルチェ素子２０の第１面２０１からペルチェ素子２０の第２面２０２に移動した熱は、第２ヒートシンク７２に伝わり筐体１０の外部の空気と熱交換して放熱される。
【００８０】
次に、制御部８０は、モータ６１に電圧を印加する。これにより、ファン６２が回転し、筐体１０の内部の空気に空気流れが発生する。
【００８１】
ペルチェ素子２０により冷却された空気は、この空気流れによってが筐体１０の吹出口１０１から吹き出される。
【００８２】
次に、制御部８０は、モータ６１に印加していた電圧を遮断する。これにより、筐体１０の内部の空気流れは抑制される。
【００８３】
上記した処理を断続的に繰り返し実施することにより、冷却された空気が吹出口１０１から渦輪となってユーザの首周辺に向けて繰り返し吹き出す。
【００８４】
また、操作部９０のモードスイッチが温風モードに設定されると、制御部８０は、ペルチェ素子２０の２種類の金属の接合部に逆極性の所定の電流が流れるように制御する。
【００８５】
制御部８０は、冷風モードの場合と同様に、モータ６１への電力供給と、電力の供給遮断を繰り返す。これにより、暖められた空気が吹出口１０１から渦輪となってユーザの首周辺に向けて繰り返し吹き出す。
【００８６】
なお、本実施形態では、モータ６１に断続的に電圧を印加してペルチェ素子２０により冷却または加熱された空気が吹出口１０１から渦輪となって吹き出すようにした。これに対し、モータ６１に印加する電圧レベルを断続的に変化させてペルチェ素子２０により冷却または加熱された空気が吹出口１０１から渦輪となって吹き出すようにしてもよい。
【００８７】
また、モータ６１に連続的に一定電圧を印加してペルチェ素子２０により冷却または加熱された空気を連続的に吹き出すようにしてもよい。
【００８８】
本実施形態では、上記第１実施形態と共通の構成から奏される同様の効果を上記第１実施形態と同様に得ることができる。
【００８９】
（他の実施形態）
（１）シート空調装置１をヘッドレスト２３の左右方向中央の領域に埋設したが、ヘッドレスト２３の右半分の領域と左半分の領域にそれぞれ埋設してもよい。また、シート空調装置１をシートバック２２の上半分の領域に配置してもよい。また、シート空調装置１を埋設することなく、ヘッドレスト２３またはシートバック２２に外付けしてもよい。
【００９０】
（２）上記各実施形態では、車両バッテリからシート空調装置１に電力が供給されるよう構成したが、乾電池や充電バッテリにより給電されるように構成することもできる。乾電池や充電バッテリからシート空調装置１に電力が供給することで、イグニッションスイッチがオン状態になる前からユーザの首に冷風を当てることが可能である。
【００９１】
（３）上記第１実施形態のペルチェ素子２０は、振動板３０の法線方向の一方と反対の他方の面に吸熱面である第１面２０１が配置され、振動板３０の法線方向の一方の面に発熱面である第２面２０２が配置されている。これに対し、第１面２０１が発熱面、第２面２０２が吸熱面となるように配置することもできる。すなわち、振動板３０の法線方向の一方と反対の他方の面に吸熱面および発熱面のいずれか一方である第１面２０１を配置し、振動板３０の法線方向の一方の面に吸熱面および発熱面のいずれか他方である第２面２０２を配置するようにしてもよい。
【００９２】
なお、本発明は上記した実施形態に限定されるものではなく、特許請求の範囲に記載した範囲内において適宜変更が可能である。また、上記各実施形態は、互いに無関係なものではなく、組み合わせが明らかに不可な場合を除き、適宜組み合わせが可能である。また、上記各実施形態において、実施形態を構成する要素は、特に必須であると明示した場合および原理的に明らかに必須であると考えられる場合等を除き、必ずしも必須のものではないことは言うまでもない。また、上記各実施形態において、実施形態の構成要素の個数、数値、量、範囲等の数値が言及されている場合、特に必須であると明示した場合および原理的に明らかに特定の数に限定される場合等を除き、その特定の数に限定されるものではない。また、上記各実施形態において、構成要素等の材質、形状、位置関係等に言及するときは、特に明示した場合および原理的に特定の材質、形状、位置関係等に限定される場合等を除き、その材質、形状、位置関係等に限定されるものではない。
【００９３】
（まとめ）
上記各実施形態の一部または全部で示された第１の観点によれば、ユーザが着座するシートに配置されるシート空調装置であって、シートに着座したユーザの首周辺へ向けて空気を吹き出す吹出口が形成された筐体と、を備えている。また、筐体の内部に配置され筐体の内部の空気を冷却または加熱するためのペルチェ素子と、筐体の内部に空気流を発生させる空気流発生部と、を備えている。そして、ペルチェ素子によって冷却または加熱された空気が空気流発生部により吹出口から渦輪となってユーザの首周辺に向けて吹き出す。
【００９４】
また、第２の観点によれば、空気流発生部は、板状を成す振動板と、振動板の少なくとも一部を該振動板の法線方向の一方に変位させる駆動部と、を備えている。また、駆動部は、振動板の少なくとも一部が該振動板の法線方向の一方に変位した際に、振動板を該振動板の法線方向の一方と反対の他方に付勢するバネを有している。さらに、バネのスプリング力により筐体の内部の空気の圧力を急激に変動させて吹出口から渦輪状の空気が吹き出すよう駆動部を制御する制御部を備えている。
【００９５】
このように、バネのスプリング力により筐体の内部の空気の圧力を急激に変動させて吹出口から渦輪状の空気が吹き出すよう制御部によりソレノイドアクチュエータが制御されるので、渦輪状の空気を遠方まで吹き出させることが可能である。
【００９６】
また、第３の観点によれば、ペルチェ素子は、吸熱する吸熱面と該吸熱面からの熱の移動により発熱する発熱面のいずれか一方である第１面と、吸熱面と発熱面のいずれか他方である第２面を有している。また、ペルチェ素子の第１面で冷却または加熱された空気が空気流発生部により吹出口からユーザの首周辺に向けて吹き出すようになっている。そして、振動板の法線方向の一方と反対の他方の面に第１面が配置され、振動板の法線方向の一方の面に第２面が配置されている。
【００９７】
したがって、振動板の法線方向の一方と反対の他方の面に配置された第１面で冷却または加熱された空気を吹出口から吹き出すことができる。また、振動板の法線方向の一方の面に配置された第２面で廃熱または吸熱することが可能である。
【００９８】
また、第４の観点によれば、ペルチェ素子は、吸熱する吸熱面と該吸熱面からの熱の移動により発熱する発熱面のいずれか一方である第１面と、吸熱面と発熱面のいずれか他方である第２面を有している。また、ペルチェ素子の第１面で冷却または加熱された空気が空気流発生部により吹出口からユーザの首周辺に向けて吹き出すようになっている。そして、ペルチェ素子の第１面には、筐体の内部に配置されたヒートシンクが接合されている。
【００９９】
したがって、ペルチェ素子の第１面と筐体の内部の空気の熱交換を促進することができる。
【０１００】
また、第５の観点によれば、ヒートシンクは、第１ヒートシンクであり、ペルチェ素子の第２面には第２ヒートシンクが接合されており、第２ヒートシンクは、筐体に接合されている。
【０１０１】
したがって、ペルチェ素子の第２面と筐体との熱交換を促進することができる。
【０１０２】
また、第６の観点によれば、第２ヒートシンクは、筐体の外部に露出している。したがって、ペルチェ素子の第２面と筐体の外部の空気との熱交換を促進することが可能である。
【０１０３】
また、第７の観点によれば、ユーザの操作に応じた信号を出力する操作部を備え、ペルチェ素子は、異種金属の接合部に流れる電流の向きが切り替えられると吸熱面と発熱面とが切り替わるようになっており、操作部に対するユーザの操作に応じてペルチェ素子の接合部に流れる電流の向きを切り替える制御部を備えている。
【０１０４】
したがって、ユーザの操作部の操作に応じて吹出口からユーザの首周辺に向けて吹き出す渦輪の温度を調節することが可能である。
【０１０５】
なお、上記実施形態における構成と特許請求の範囲の構成との対応関係について説明すると、振動板３０、ソレノイドアクチュエータ４０、スピーカ５０、送風ファン６０が空気流発生部に相当する。
【符号の説明】
【０１０６】
１    シート空調装置
２    シート
１０  筐体
２０  ペルチェ素子
２３  ヘッドレスト
３０  振動板
４０  ソレノイドアクチュエータ
４１  プランジャ
４２  バネ
４３  コイル
５０  スピーカ
５１  振動板
５２  固定ステー
５３  ダンパー
５４  磁石
５５  ボイスコイル
６０  送風ファン
６１  モータ
６２  ファン
７１、７２  ヒートシンク
８０  制御部
【図１】
2020083245.tif 000003
【図２】
2020083245.tif 000004
【図３】
2020083245.tif 000005
【図４】
2020083245.tif 000006
【図５】
2020083245.tif 000007
【図６】
2020083245.tif 000008
【図７】
2020083245.tif 000009